(57)【特許請求の範囲】
【請求項１】
バイアル、蓋、およびシーリング部材を含み、前記バイアル、前記蓋および前記シーリング部材が気密にシールされるサンプル・アンプルを形成するように構成される、熱量測定用のサンプル・アンプルであって、前記バイアルは第１の接触面を有し、前記蓋は第２の接触面を有し、前記第１および第２の接触面は前記アンプルのシールされる位置で互いに接触し、前記バイアルおよび前記蓋は異なる抗張力を備える材料から形成されることを特徴とするサンプル・アンプル。
【請求項２】
第１または第２の接触面は低摩擦表面コーティングで覆われることを特徴とする請求項１に記載のサンプル・アンプル。
【請求項３】
前記蓋材料は前記バイアル材料を超える強度を備える高張力材料であることを特徴とする請求項１または２に記載のサンプル・アンプル。
【請求項４】
前記第１の接触面は低摩擦表面コーティングで覆われることを特徴とする請求項３に記載のサンプル・アンプル。
【請求項５】
前記バイアル材料は前記蓋材料を超える強度を備える高張力材料であることを特徴とする請求項１または２に記載のサンプル・アンプル。
【請求項６】
前記第２の接触面は低摩擦表面コーティングで覆われることを特徴とする請求項５に記載のサンプル・アンプル。
【請求項７】
前記低摩擦表面コーティングは、窒化チタンで形成されることを特徴とする請求項２、４、あるいは６に記載のサンプル・アンプル。
【請求項８】
前記シーリング部材はガスケットであることを特徴とする請求項１乃至７のうちのいずれか一項に記載のサンプル・アンプル。
【請求項９】
前記シーリング部材はＯリングであることを特徴とする請求項１乃至７のうちのいずれか一項に記載のサンプル・アンプル。
【請求項１０】
前記第１の接触面および前記第２の接触面は、相互に作用すると閉鎖機構およびロック装置を形成するようにねじ接合され、前記アンプルは、前記バイアルにねじ留めされると、前記蓋に固定トルクを作用させる手段と相互に作用するように構成されることを特徴とする請求項１乃至９のうちのいずれか一項に記載のサンプル・アンプル。
【発明の詳細な説明】
【技術分野】
【０００１】
本発明は、バイアル、蓋、およびシーリング部材を含み、バイアル、蓋、およびシーリング部材が気密にシールされたサンプル・アンプルを形成するように構成される、熱量測定用のサンプル・アンプルに関する。
【背景技術】
【０００２】
気密にシールされたサンプル・アンプルを使用することは、等温の熱量測定において熱のフローを正確に測定するために不可欠である。気体および／または蒸気のいかなる漏洩も、測定の正確さを低減するであろう。
【０００３】
サンプル・アンプルをシールすることは、ガスケットやＯリングシールを、例えばねじ付きの蓋やキャップなどの締め手段と組み合わせることを一般的に含む。
【発明の概要】
【発明が解決しようとする課題】
【０００４】
サンプル・アンプルの完全な気密および液密の不可欠な条件は、保持されるシール特性および高い再現性を備える開閉サイクルに耐久可能な高精度を備える閉鎖機構を要求する。
【０００５】
等温の熱量測定用の通常の解決策は、Ｏリングシールおよび例えばねじ付きキャップのようなロック装置を含む。キャップの締めにより、Ｏリングが圧縮され、蓄積されるエネルギーが高められる。蓄積されたエネルギーは続いて解放され、測定精度に干渉する。エネルギーの高まりおよび解放は、測定の再現性を得られるように制御される必要がある。
【０００６】
更に、摩擦によって開始されるスレッドの摩耗は、測定の安定性および正確性に影響し得る。
【課題を解決するための手段】
【０００７】
上述した課題の１つ以上を解決するために、かつバイアル、蓋、およびシーリング部材を含み、バイアル、蓋、およびシーリング部材が気密にシールされるサンプル・アンプルを形成するように構成される、熱量測定用のサンプル・アンプルの見地から、本発明は、バイアルが第１の接触面を有し、蓋が第２の接触面を有し、第１および第２の接触面は、アンプルのシールされる位置において互いに接触することを教示する。第１および第２の接触面間の摩擦を低減し、これにより表面の摩耗を低減し、アンプルを閉じる間のエネルギーの強化を図るために、バイアルおよび蓋は異なる抗張力を備える材料から形成されることが提案される。
【０００８】
更に、第１および第２の表面間の摩擦を低減するために、第１または第２の接触面は低摩擦表面コーティングで覆われることが提案される。
異なる強度を備える材料の選択の際に、蓋材料がバイアル材料を超える強度を備える高張力材料であることが提案され、その場合には、第１の接触面は低摩擦表面コーティングで覆われる。
【０００９】
しかしながら、バイアル材料は蓋材料を超える強度を備える高張力材料であってもよく、その場合には、第２の接触面は低摩擦表面コーティングで覆われる。
低摩擦表面コーティングは例えばＯｅｒｌｉｃｏｎ  Ｂａｌｚｅｒｓ社のＢＡＬＩＮＩＴ  Ａ（登録商標）である窒化チタンから形成されることが提案される。
【００１０】
シーリング部材はガスケットまたはＯリングであることが更に提案される。
第１の接触面および第２の接触面が相互に作用するとねじ接合され、閉鎖機構およびロック装置を形成する実施形態では、アンプルは、バイアルにねじ留めされると、蓋に固定トルクを作用させる手段と相互に作用するように構成されることが提案される。
【発明の効果】
【００１１】
本発明によるサンプル・アンプルの効果は、異なる強度およびコーティングを備える材料を選択することにより、スレッドの摩耗が低減されることの他、スレッドの長期的な摩耗が低減されることにある。
【００１２】
サンプル・バイアル上の蓋を締めるために制御されたトルクの解放を使用するように構成されることにより、締めのための再現可能な固定トルクが得られ、これにより、サンプルの測定の再現性が高められる。
【００１３】
蓋を締めるための再現可能な固定トルクを、蓋とバイアルとの間の低減された摩擦と組み合わせることにより、更に、作用されるより多くの一貫した量のエネルギーが、シーリング部材の圧縮に伝えられ、これは、スレッドの摩擦では失われない。これにより、シーリング部材に作用される力の再現性が高められる。
【図面の簡単な説明】
【００１４】
【図１】バイアルと蓋とを備える本発明によるアンプルを示す断面図。
【図２】バイアルと蓋との接触面を示す、図１の拡大図。
【図３】バイアルと蓋とを備える本発明によるアンプルを示す側面図。
【図４】蓋を示す平面図。
【発明を実施するための形態】
【００１５】
本発明によるサンプル・アンプルを、添付の図面を参照して詳細に後述する。
図１を参照して本発明を後述する。図１は、バイアル１１、蓋１２、およびシーリング部材１３を含み、バイアル１１、蓋１２、およびシーリング部材１３が気密にシールされるサンプル・アンプル１を形成するように構成される、熱量測定用のサンプル・アンプル１を示す。
【００１６】
図１の部分拡大図である図２は、バイアル１１が第１の接触面１１ａを有し、蓋１２が第２の接触面１２ａを有し、第１の接触面１１ａおよび第２の接触面１２ａがアンプルのシールされた位置で互いに接触していることを示す。
【００１７】
本発明は、バイアル１１および蓋１２が異なる抗張力を備える材料１１’および１２’から形成されることを教示する。
第１の接触面１１ａまたは第２の接触面１２ａは低摩擦表面コーティング（図示しない）で覆われることが提案される。
【００１８】
提案される一実施形態によれば、蓋材料１２’は、バイアル材料１１’を超える強度を備える高張力材料であり、その場合には、第１の接触面１１ａは低摩擦表面コーティングで覆われることが提案される。
【００１９】
また、バイアル材料１１’は蓋材料１２’を超える強度を備える高張力材料であってもよく、その場合には、第２の接触面１２ａは低摩擦表面コーティングで覆われる。
提案される一実施形態において、低摩擦表面コーティングがＯｅｒｌｉｃｏｎ  Ｂａｌｚｅｒｓ社のＢＡＬＩＮＩＴ  Ａ（登録商標）などの窒化チタンから形成されることが教示される。
【００２０】
シーリング部材１３はガスケットであるか、図１に示すように、Ｏリングである。
閉鎖機構およびロック装置は異なる方法で形成される。提案される一方法は、図示のように、第１の接触面１１ａおよび第２の接触面１２ａがねじ接合し、これにより、これら接触面が相互に作用すると、アンプル１を閉鎖するとともにロックすることが可能であることにある。
【００２１】
アンプル１は、バイアル１１にねじ留めされると、蓋１２に固定トルクを作用させる手段と相互に作用するように構成されることが提案される。これは様々な方法で行うことができ、図１および図３は、バイアル１１が切り欠き１１ｂを有し、この切り欠き１１ｂがホルダ内に堅固に保持され、蓋１２を適用する間にバイアル１１を静止した状態に保持する一例を示す。図１および図４は、固定トルクを作用させる手段が蓋１２を堅固に保持する凹部１２ｂを蓋１２が有することを示し、これにより、バイアル１１上の蓋１２を締めるための抑制されたトルクの解放の使用が可能となる。
【００２２】
本発明は、上述し図示したその例示的実施形態に制限されるものではなく、添付の特許請求の範囲によって定義されるような本発明の範囲内で修正をなすことができるものといえる。
【図１】
0006356815.tif 000002
【図２】
0006356815.tif 000003
【図３】
0006356815.tif 000004
【図４】
0006356815.tif 000005